(57)【要約】【課題】１年を通じて室空間の温度変化を緩和することにより、省エネルギーの要請に応えるとともに、暖冷房に要する費用を低減できる暖冷房負荷低減家屋を提供する。【解決手段】潜熱蓄熱材として高温域用の潜熱蓄熱材のみを含む天井用建材１８を天井１２に使用し、潜熱蓄熱材として前記高温域用の潜熱蓄熱材よりも融点の低い低温域用の潜熱蓄熱材のみを含む床用建材２８を床１４に使用することにより、上記課題を解決することができる。【選択図】図１
2010001677.tif 000002
【特許請求の範囲】
【請求項１】
潜熱蓄熱材として高温域用の潜熱蓄熱材のみを含む天井用建材が天井に用いられており、
潜熱蓄熱材として前記高温域用の潜熱蓄熱材よりも融点の低い低温域用の潜熱蓄熱材のみを含む床用建材が床に用いられていることを特徴とする暖冷房負荷低減家屋。
【請求項２】
前記天井用建材には、前記高温域用の潜熱蓄熱材として融点が２０〜３４℃の潜熱蓄熱材のみが含まれており、
前記床用建材には、前記低温域用の潜熱蓄熱材として融点が１１〜２５℃の潜熱蓄熱材のみが含まれていることを特徴とする請求項１に記載の暖冷房負荷低減家屋。
【請求項３】
前記天井用建材には、基材としてロックウールボードが用いられており、
前記床用建材には、基材としてインシュレーションボードが用いられていることを特徴とする請求項１または２に記載の暖冷房負荷低減家屋。
【請求項４】
潜熱蓄熱材として融点が１１〜２５℃の潜熱蓄熱材のみを含む壁用建材が更に壁に用いられていることを特徴とする請求項２または３に記載の暖冷房負荷低減家屋。
【請求項５】
潜熱蓄熱材として融点が２０〜３４℃の潜熱蓄熱材のみを含む壁用建材が更に壁に用いられていることを特徴とする請求項２または３に記載の暖冷房負荷低減家屋。
【請求項６】
潜熱蓄熱材として、融点が１１〜２５℃の潜熱蓄熱材と、融点が２０〜３４℃の潜熱蓄熱材とが等分で混合された潜熱蓄熱材を含む壁用建材が更に壁に用いられていることを特徴とする請求項２または３に記載の暖冷房負荷低減家屋。
【発明の詳細な説明】
【技術分野】
【０００１】
本発明は、年間を通じて温度変化の少ない快適な室空間を提供する暖冷房負荷低減家屋に関する。
【背景技術】
【０００２】
家屋における室空間の温度調整は、主に暖房設備や冷房設備によって行われているが、省エネルギーの要請に応えるとともに、暖冷房に要する費用を低減するため、暖冷房の効率を向上させるための様々な取り組みが従来からなされており、そのひとつとして、建材に潜熱蓄熱材を利用して室空間の温度変化を緩和することが提案されている（例えば、特許文献１）。
【０００３】
「潜熱蓄熱材」は、ＰＣＭ(Phase  Change  Material)とも呼ばれ、物質が固相から液相、あるいは液相から固相に相変化する際の潜熱を利用した蓄熱材である。すなわち、固相の潜熱蓄熱材の温度が上昇し、その融点（潜熱蓄熱材の原料物質の選択により任意に決定される）に達すると該潜熱蓄熱材の融解が始まり、融解熱を外部から吸収する。逆に、液相の潜熱蓄熱材の温度が降下し、凝固点に達すると凝固が始まり、凝固熱を外部に放出する。なお、若干の例外はあるものの、一般に融点と凝固点とは互いに一致するので、以下では、「融点」を用いて説明する。
【０００４】
このような潜熱蓄熱材を建材に使用することにより、例えば夏場において、固相の潜熱蓄熱材の温度が上昇してその融点に達すると液相への相変化が始まり、すべての潜熱蓄熱材が液相に相変化するまでの間、潜熱蓄熱材が受けた熱は融解熱として用いられるので当該潜熱蓄熱材の温度は融点よりも高くならない。このように、外気温は潜熱蓄熱材の融点よりも高いにもかかわらず潜熱蓄熱材の温度は融点の温度を維持するので、室温の上昇を抑えることができる。なお、すべての潜熱蓄熱材が液相に相変化した段階で未だ外気温が融点よりも高い場合、潜熱蓄熱材の温度は再び上昇することになる。また、液相となった潜熱蓄熱材は、夜間において外気温が潜熱蓄熱材の融点よりも低くなったときに凝固熱を外部に放出しつつ固相に戻る。
【０００５】
また、冬場においては、上述した夏場に用いられる潜熱蓄熱材（＝高温域用）よりも融点が低く設定された潜熱蓄熱材（＝低温域用）が用いられる。冬場には、暖房設備や日射などによって室空間の温度が高められると、固相の潜熱蓄熱材が暖められて液相に相変化することにより、潜熱蓄熱材は一定温度（＝融点）を維持しつつ受けた熱を融解熱として蓄熱する。そして夜間に暖房設備などを停止すると室温が低下するが、室温度が潜熱蓄熱材の融点よりも低くなると、潜熱蓄熱材は一定温度で凝固熱を室空間に放出しつつ固相に戻る。このため、室温の低下を抑えることができる。なお、すべての潜熱蓄熱材が固相に相変化した段階で未だ室温が融点よりも低い場合、潜熱蓄熱材の温度は再び低下することになる。
【０００６】
つまり、潜熱蓄熱材を用いた建材には室空間の温度変化を緩和する効果があり、室空間の温度変化が緩和されるのに伴って空調負荷も平準化することになるので、空調機器の運転効率が向上する。
【０００７】
特許文献１の建材は、アルミ板で形成された中空の板材内に、融点が互いに異なる３種類の潜熱蓄熱材が充填されており、第一の潜熱蓄熱材は中温域の融点を、第二の潜熱蓄熱材は高温域の融点を、第３の潜熱蓄熱材は低温域の融点をそれぞれ有している。
【特許文献１】特開２００４−２３２８９７号公報
【発明の開示】
【発明が解決しようとする課題】
【０００８】
特許文献１の建材を床材、壁材、あるいは天井材として使用する場合、基材に対する潜熱蓄熱材の添加割合が大きくなりすぎると建材の強度に問題が生じることから、潜熱蓄熱材の添加割合には上限がある。特許文献１の建材では、融点が互いに異なる第１ないし第３の潜熱蓄熱材の各添加割合の合計を該上限内に収める必要があるから、各潜熱蓄熱材の効果を均等に発揮させようとすると、各潜熱蓄熱材の添加割合はそれぞれ上限の１／３となる。
【０００９】
すると、各潜熱蓄熱材が奏する効果も１種類の潜熱蓄熱材を添加割合の上限まで加えたときに奏することのできる効果の１／３となり、個々の温度域で十分な潜熱蓄熱効果を奏することができなくなる。
【００１０】
すなわち、上述の例によれば、夏場において高温域の潜熱蓄熱材が１／３しか添加されていないので、外気温が該潜熱蓄熱材の融点よりも高い時間帯に外気から該潜熱蓄熱材に与えられる熱量の一部しか融解熱として用いることができず、残部の熱量は、すべて液相に相変化した潜熱蓄熱材の温度上昇に用いられることになる。したがって、室温も潜熱蓄熱材の融点以上に上昇するおそれが高くなり、室空間の温度変化を十分に緩和して省エネルギーの要請に応えることができず、また、暖冷房に要する費用を低減することもできなかった。
【００１１】
もちろん、建材の厚さを３倍にすれば、第１ないし第３の潜熱蓄熱材の添加量をそれぞれ３倍にできるが、一般に潜熱蓄熱材は高価であることから、建材のコストが高くなりすぎるので現実的ではなかった。
【００１２】
本発明はかかる点に鑑みてなされたもので、その目的は、１年を通じて室空間の温度変化を緩和することにより、省エネルギーの要請に応えるとともに、暖冷房に要する費用を低減できる暖冷房負荷低減家屋を提供することにある。
【課題を解決するための手段】
【００１３】
請求項１に記載した発明は、「潜熱蓄熱材として高温域用の潜熱蓄熱材のみを含む天井用建材１８が天井１２に用いられており、
潜熱蓄熱材として前記高温域用の潜熱蓄熱材よりも融点の低い低温域用の潜熱蓄熱材のみを含む床用建材２８が床１４に用いられていることを特徴とする暖冷房負荷低減家屋１０」である。
【００１４】
天井１２に高温域用の潜熱蓄熱材を含む天井用建材１８を用いることにより、夏場において、日射等により最も加熱される小屋裏空間Ｂから室空間Ａに流入する熱量を抑え、室空間Ａの温度が過度に上昇するのを防止できる。すなわち、天井用建材１８の温度が高温域用の潜熱蓄熱材の融点まで上昇すると、それ以降に天井１２に与えられた熱は該潜熱蓄熱材の融解熱として用いられるので天井用建材１８の温度は上昇せず一定となる。このように、天井用建材１８の温度は潜熱蓄熱材の融点の温度を維持するので、室空間Ａへ流入する熱量を抑え、室空間Ａの温度が過度に上昇するのを防止できる。
【００１５】
また、床１４に低温域用の潜熱蓄熱材を含む床用建材２８を用いることにより、冬場において、最も温度が低くなる地面に吸収される室空間Ａ内の熱量を抑え、室空間Ａの温度が急激に降下するのを防止できる。すなわち、暖房装置や日射などによって室空間Ａの温度が低温域用の潜熱蓄熱材の融点よりも高められると、室空間Ａから床下空間Ｃへ移動しようとする熱は、床用建材２８に含まれた潜熱蓄熱材の融解熱として蓄熱される。そして夜間に暖房設備などを停止して室温が当該潜熱蓄熱材の融点よりも低くなると、潜熱蓄熱材の温度は融点以下に低下することなく、潜熱蓄熱材は凝固熱を室空間Ａに放出しつつ固相に戻るので、室空間Ａの熱が床下空間Ｃを介して地面に逃げ出すことを防止できるだけでなく、室空間Ａは潜熱蓄熱材からの凝固熱を受けることができるので、室空間Ａの温度が急激に低下するのを防止できる。
【００１６】
加えて、この暖冷房負荷低減家屋１０では、高温域用の潜熱蓄熱材のみが天井用建材１８に用いられていることから、天井用建材１８は高温時に十分な潜熱蓄熱効果を奏することができ、すべての潜熱蓄熱材が液相に相変化した段階で未だに外気の温度が高温域用の潜熱蓄熱材の融点よりも高いために天井用建材１８の温度が潜熱蓄熱材の融点よりも高くなるおそれを極小化できる。
【００１７】
また、低温域用の潜熱蓄熱材のみが床用建材２８に用いられていることから、床用建材２８は十分な潜熱蓄熱効果を奏することができ、すべての潜熱蓄熱材が固相に相変化した段階で未だに床下空間Ｃの温度が低温域用の潜熱蓄熱材の融点よりも低いために床用建材２８の温度が潜熱蓄熱材の融点よりも低くなるおそれを極小化できる。
【００１８】
請求項２に記載した発明は、請求項１に記載の暖冷房負荷低減家屋における潜熱蓄熱材の融点の範囲を限定したものであって、「前記天井用建材１８には、前記高温域用の潜熱蓄熱材として融点が２０〜３４℃の潜熱蓄熱材のみが含まれており、
前記床用建材２８には、前記低温域用の潜熱蓄熱材として融点が１１〜２５℃の潜熱蓄熱材のみが含まれている」ことを特徴とする。
【００１９】
請求項３に記載した発明は、請求項１または２に記載の暖冷房負荷低減家屋に関し、「前記天井用建材１８には、基材としてロックウールボードが用いられており、
前記床用建材２８には、基材としてインシュレーションボードが用いられている」ことを特徴とする。
【００２０】
日射などの影響を受けやすく温度変化の激しい天井１２に用いられる天井用建材１８の基材として、熱に強いロックウールボードが好適であり、家具などの静荷重や人が歩いたときなどの動荷重が加えられる床１４に用いられる床用建材２８の基材として、強度に優れるインシュレーションボードが好適である。また、ロックウールボードやインシュレーションボードによれば、上述したような、潜熱蓄熱材による室空間Ａの温度変化の緩和に加えて、小屋裏空間Ｂから室空間Ａへの熱の流入や室空間Ａの熱が床下空間Ｃを介して地面に吸収されるのをロックウールボードやインシュレーションボードで遮断することができる。これにより、室空間Ａの温度変化をさらに緩和して、省エネルギーをさらに進めることができるとともに、暖冷房に要する費用をさらに低減できる。
【００２１】
請求項４に記載した発明は、請求項２または３のいずれかに記載の暖冷房負荷低減家屋１０に関し、「潜熱蓄熱材として融点が１１〜２５℃の潜熱蓄熱材のみを含む壁用建材３４が更に壁１６に用いられている」ことを特徴とする。
【００２２】
このように、潜熱蓄熱材として融点が１１〜２５℃の潜熱蓄熱材（１１〜２５℃の範囲内にある特定の温度に融点が設定された潜熱蓄熱材をいう。本明細書を通じて同じ。）のみが含まれている壁用建材３４を壁１６に用いることにより、寒冷地に適した暖冷房負荷低減家屋１０を提供することができる。すなわち、寒冷地の場合、夏場の暑さへの対応は天井用建材１８に含まれている高温域用の潜熱蓄熱材で十分であり、融点が１１〜２５℃の潜熱蓄熱材のみを含む壁用建材３４を更に壁１６に用いることにより、床用建材２８の場合と同様に、冬場に室空間Ａの熱が壁１６を介して外部に逃げ出すことを防止できるだけでなく、室空間Ａは壁用建材３４の潜熱蓄熱材からの凝固熱を受けることができる。これにより、１年を通じて室空間Ａの温度変化をさらに緩和することができる。
【００２３】
また、本発明の壁用建材３４に用いられる潜熱蓄熱材の融点と、床用建材２８に用いられる潜熱蓄熱材の融点との差はできるだけ小さく設定するのが好ましく、より好適には、両者の融点は互いに同一温度に設定される。
【００２４】
請求項５に記載した発明は、請求項２または３のいずれかに記載の暖冷房負荷低減家屋１０に関し、「潜熱蓄熱材として融点が２０〜３４℃の潜熱蓄熱材のみを含む壁用建材３４が更に壁１６に用いられている」ことを特徴とする。
【００２５】
潜熱蓄熱材として融点が２０〜３４℃の潜熱蓄熱材のみが含まれている壁用建材３４を壁１６に用いることにより、蒸暑地に適した暖冷房負荷低減家屋１０を提供することができる。すなわち、蒸暑地の場合、上述した寒冷地のときとは逆に、冬場の寒さへの対応は床用建材２８に含まれている低温域用の潜熱蓄熱材で十分であり、融点が２０〜３４℃の潜熱蓄熱材のみを含む壁用建材３４を更に壁１６に用いることにより、壁用建材３４の温度は、壁用建材３４に含まれた潜熱蓄熱材の融点（２０〜３４℃）に対応する温度を一定の時間維持するので、外部から室空間Ａへ流入する熱量を抑えることができる。これにより、１年を通じて室空間Ａの温度変化をさらに緩和することができる。
【００２６】
また、本発明の壁用建材３４に用いられる潜熱蓄熱材の融点と、天井用建材１８に用いられる潜熱蓄熱材の融点との差はできるだけ小さく設定するのが好ましく、より好適には、両者の融点は互いに同一温度に設定される。
【００２７】
請求項６に記載した発明は、請求項２または３に記載の暖冷房負荷低減家屋１０に関し、「潜熱蓄熱材として、融点が１１〜２５℃の潜熱蓄熱材と、融点が２０〜３４℃の潜熱蓄熱材とが等分で混合された潜熱蓄熱材を含む壁用建材３４が更に壁１６に用いられている」ことを特徴とする。
【００２８】
潜熱蓄熱材として融点が１１〜２５℃の潜熱蓄熱材と、融点が２０〜３４℃の潜熱蓄熱材とが等分で混合された潜熱蓄熱材が含まれている壁用建材３４を更に壁１６に用いることにより、温暖地に適した暖冷房負荷低減家屋１０を提供することができる。すなわち、夏場には外部から室空間Ａに流入する熱量を抑えることができるとともに、冬場には室空間Ａから外部に流出する熱量を抑えることができる。これにより、１年を通じて室空間Ａの温度変化をさらに緩和することができる。
【００２９】
また、本発明の壁用建材３４に用いられる、融点が１１〜２５℃の潜熱蓄熱材の融点と、床用建材２８に用いられる潜熱蓄熱材の融点との差はできるだけ小さく設定するのが好ましく、より好適には、両者の融点は互いに同一温度に設定される。これは、本発明の壁用建材３４に用いられる、融点が２０〜３４℃の潜熱蓄熱材の融点と、天井用建材１８に用いられる潜熱蓄熱材の融点との間でも同じである。
【発明の効果】
【００３０】
本発明によれば、天井用建材は高温時に、また、床用建材は低温時にそれぞれ期待される十分な潜熱蓄熱効果を奏することにより、夏場に室空間の温度が過度に上昇するのを防止できるとともに、冬場に室空間Ａの温度が急激に降下するのを防止できる。このため、１年を通じて室空間の温度変化を緩和することにより、省エネルギーの要請に応えるとともに、暖冷房に要する費用を低減できる暖冷房負荷低減家屋を提供することができる。
【発明を実施するための最良の形態】
【００３１】
以下、本発明を図示実施例にしたがって説明する。本発明が適用された、寒冷地に好適な暖冷房負荷低減家屋１０は、図１に示すように、天井１２と、床１４と、壁１６とを備えており、これらで囲まれて室空間Ａが構成されている。また、天井１２の上部には屋根１７が設けられており、天井１２と屋根１７との間には小屋裏空間Ｂが形成されている。さらに、室空間Ａと地面との間には床下空間Ｃが形成されている。
【００３２】
天井１２は、図２に示すように、室空間Ａに近い順に、天井用建材１８、せっこうボード２０、防湿シート２２および住宅用グラスウール断熱材２４を積層することによって形成されている。
【００３３】
天井用建材１８は、板状の基材に対し、潜熱蓄熱材として高温域用の潜熱蓄熱材（融点が２０〜３４℃のもの）のみを含ませたものであり、本実施例では天井仕上材として使用されている（もちろん、天井下地材として使用することもできる）。潜熱蓄熱材の融点を２０〜３４℃としたのは、夏場の冷房使用時における室空間Ａの想定温度と一致させるためである。
【００３４】
天井用建材１８の基材としては、インシュレーションボード、ロックウールボード、火山性ガラス質複層板やせっこうボード等、有機や無機の成型板であれば、湿式成型、乾式成型にこだわらず、どのようなものでも使用することができる。
【００３５】
例えば基材としてロックウールボードを用いた天井用建材１８であれば、５０〜７０重量％の鉱物質繊維と、５〜２０重量％の無機充填材と、２０〜３０重量％の潜熱蓄熱材と、５〜１０重量％のバインダー成分等からなるスラリーを湿式抄造して乾燥させたロックウールボードが使用される。また、インシュレーションボードであれば、６０〜７５重量％の木質繊維と、２０〜３０重量％の潜熱蓄熱材と、５〜１０重量％のバインダー等からなるスラリーを湿式抄造して乾燥させた木質繊維板が使用される。また、ロックウール板や木質繊維板の他、火山性ガラス質複層板やせっこうボード等の材料に５〜５０重量％程度の含有量、好ましくは２０〜３０重量％の潜熱蓄熱材を加えた板状体を使用することもできる。これらの板状体が、天井用建材１８として釘やステープル、ネジ等で天井部分に固定される。さらに、天井用建材１８の裏面（＝小屋裏空間Ｂ側の面）には、断熱材を積層するのが好ましい。
【００３６】
潜熱蓄熱材には、一般に、蓄熱材料であるノルマルパラフィンや無機水和塩を、塩化カルシウム水和塩、多孔質シリカ等の多孔質材といった担持体に含浸させたものや、蓄熱材料をカプセルに封入したものが用いられる。本実施例では、マイクロカプセルにノルマルパラフィンを封入したものが使用されているが、上記担持体にノルマルパラフィンを含浸させたものを樹脂コーティングしたものを使用してもよい。
【００３７】
融点２０〜３４℃の潜熱蓄熱材に用いられる無機水和塩としては、例えば融点が約３０℃の塩化カルシウム六水和塩や融点が約３２℃の硫酸ナトリウム１０水和塩等が用いられる。また、ノルマルパラフィンとしては、例えば融点約２８℃のｎ-オクタデカンや融点約３２℃のｎ-ノナデカン等が用いられる。もちろん、変性や混合により、融点が２０〜３４℃に調整された潜熱蓄熱材料であれば、どのようなものでも使用することができる。
【００３８】
また、後述する低温域用の潜熱蓄熱材（本実施例では、融点が１１〜２５℃のもの）に用いられるノルマルパラフィンとしては、例えば融点約１８℃のｎ-ヘキサデカンや融点約２２℃のｎ-ヘプタデカン等が用いられる。もちろん、変性や混合により、融点が１１〜２５℃に調整された潜熱蓄熱材料であれば、どのようなものでも使用することができる。
【００３９】
一般に、天井用建材１８には支持部材としての強度は求められないが、潜熱蓄熱材の含有割合が多くなりすぎると天井用建材１８が重くなり強度上の問題が生じる。したがって、潜熱蓄熱材の含有割合は５〜５０％程度が好ましい。
【００４０】
含有割合が５％に満たないと、期待される潜熱蓄熱効果が弱くなり、逆に含有割合が５０％を超えると、天井用建材１８が重くなると同時に強度が弱くなるため、天井用建材１８が自重に耐えられずに変形し、甚だしい場合には天井用建材１８が破損する可能性があるからである。また、好適な潜熱蓄熱材の含有量は、２０〜３０％程度である。
【００４１】
せっこうボード２０は、石膏を主成分とした素材を板状にしたものを２枚の厚い紙などの板でサンドイッチ状に挟んだものである。石膏の主成分は硫酸カルシウム二水和物であることから多量の結晶水を含んでおり、炎などによる熱に晒されるとこの水が当該熱を気化熱として吸収し、蒸気として空気中に放出されるため、炎や熱に強いという性質を有している。
【００４２】
床１４は、図３に示すように、室空間Ａに近い順に、合板２６、床用建材２８、合板２６および押出法ポリスチレンフォーム保温板３２が積層されることによって形成されている。
【００４３】
合板２６は、薄く切った複数枚の単板を各単板の繊維方向が互い違いになるように重ねて熱圧接着した木質ボードである。
【００４４】
床用建材２８は、上述した天井用建材１８の板状の基材に対し、潜熱蓄熱材として低温域用の潜熱蓄熱材（本実施例では、融点が１１〜２５℃のもの）のみを含ませたものであり、床下地材として使用されている。潜熱蓄熱材の融点を１１〜２５℃としたのは、冬場の暖房使用時における室空間Ａの想定温度と一致させるためである。
【００４５】
一般に、床用建材２８には支持部材としての強度が求められることが多いので、潜熱蓄熱材の含有量は、床用建材２８に求められる強度に応じて決定される。例えば、木質系材料の場合、インシュレーションボード等の抄造スラリー中に５〜５０重量％の潜熱蓄熱材を添加すればよい。また、好適な潜熱蓄熱材の含有量は、２０〜３０％程度である。
【００４６】
押出法ポリスチレンフォーム保温板３２は、ポリスチレンを微細な泡で発泡させ硬化させた素材であり、軽量かつ断熱性に優れ、また弾力性があり衝撃吸収性にも優れる断熱材である。
【００４７】
壁１６は、図４に示すように、室空間Ａに近い順に、壁用建材３４、せっこうボード３６、防湿シート３８、住宅用グラスウール断熱材４０、火山性ガラス複層板（商品名「ダイライト」）４２、透湿防水シート４４、通気層４６および窯業系サイディング４８が積層されることによって形成されている。
【００４８】
壁用建材３４は、上述した天井用建材１８の板状の基材に対し、潜熱蓄熱材として低温域用の潜熱蓄熱材（本実施例では、融点が１１〜２５℃のもの）のみを含ませたものであり、本実施例では壁仕上材として使用されている（もちろん、壁下地材として使用することもできる）。潜熱蓄熱材の融点を１１〜２５℃としたのは、冬場の暖房使用時における室空間Ａの想定温度と一致させるためである。
【００４９】
一般に、壁用建材３４にも支持部材としての強度が求められることが多いので、潜熱蓄熱材の含有量は、壁用建材３４に求められる強度に応じて決定される。例えば、耐力壁である火山性ガラス質複層板の場合は、例えば４０〜５０重量％の鉱物質繊維と、２０〜３０重量％の無機充填材と、５〜５０重量％の潜熱蓄熱材と、５〜１０重量％のバインダーからなるスラリーを湿式抄造して得られた表裏層の間に、４０〜６０重量％の火山性ガラス質発泡体と、１０〜５０重量％の潜熱蓄熱材と、１〜５重量％のバインダーと、５〜３０重量％の無機充填材からなる芯層をサンドした後、熱圧プレスすることにより得られる。
【００５０】
また、耐力壁のせっこうボードであれば、８０〜９５重量％の石膏と、５〜３０重量％の潜熱蓄熱材とを混合し、ボード原紙の間に挟みこみ、乾燥・固化させる事により得られる。
【００５１】
非耐力壁の場合は、上記火山性ガラス質複層板やせっこうボード等の潜熱蓄熱材の添加量を１０〜５０重量％に増やすことができる。
【００５２】
また、木質系材料の壁下地材の場合、インシュレーションボード等の抄造スラリー中に１０〜５０重量％の潜熱蓄熱材を添加すればよい。
【００５３】
本実施例の壁用建材３４は、いわゆる寒冷地（建築基準法の省エネルギー基準に定められた地域区分によれば、Ｉ地域およびＩＩ地域）向けのものであり、いわゆる蒸暑地域（同区分によれば、Ｖ地域およびＶＩ地域）向けであれば、冬場の寒さへの対応は床に配された低温域用の潜熱蓄熱材で十分であることから、壁用建材３４には、潜熱蓄熱材として高温域用の潜熱蓄熱材（本実施例では、融点が２０〜３４℃のもの）のみを含む壁用建材３４が使用される。
【００５４】
また、いわゆる温暖地域（同区分によれば、ＩＩＩ地域およびＩＶ地域）向けの場合、夏場には暑さへの配慮、冬場には寒さへの配慮が必要となることから、壁用建材３４には、潜熱蓄熱材として、融点が１１〜２５℃の潜熱蓄熱材と、融点が２０〜３４℃の潜熱蓄熱材とが等分で混合された潜熱蓄熱材を含む壁用建材３４が使用される。１種類の潜熱蓄熱材を最低でも５重量％添加する必要があることから、この場合、２種類の潜熱蓄熱材の合計添加割合は、１０〜５０重量％の範囲となる。
【００５５】
窯業系サイディング４８は、セメント質と繊維質を主な原料にして、板状に形成したものである。
【００５６】
次に、この暖冷房負荷低減家屋１０の作用効果について説明する。暖冷房負荷低減家屋１０では、夏場は主に小屋裏空間Ｂから室空間Ａへの遮熱を目的としている。すなわち、夏場の日射や外気からの熱が屋根１７を介して小屋裏空間Ｂの温度を上昇させ、これに伴い天井用建材１８の温度も上昇するが、天井用建材１８の温度が高温域用の潜熱蓄熱材の融点（２０〜３４℃）まで上昇すると、それ以降に小屋裏空間Ｂから天井用建材１８に与えられた熱は該潜熱蓄熱材の融解熱として用いられるので天井用建材１８の温度は上昇せず一定となる。このように、小屋裏空間Ｂの温度は潜熱蓄熱材の融点よりも高いにもかかわらず天井用建材１８の温度は潜熱蓄熱材の融点の温度を維持するので、小屋裏空間Ｂから室空間Ａへ流入する熱量を抑えることができる。
【００５７】
また、天井用建材１８には高温域用の潜熱蓄熱材のみが用いられていることから、天井用建材１８は十分な潜熱蓄熱効果を奏することができ、すべての潜熱蓄熱材が液相に相変化した段階で未だに小屋裏空間Ｂの温度が融点よりも高いことから、天井用建材１８の温度が潜熱蓄熱材の融点よりも著しく高くなるおそれを極小化できる。
【００５８】
一方、冬場は主に地面からの冷気が床下空間Ｃを介して室空間Ａへ入り込む（換言すれば、室空間Ａの熱が床１４および床下空間Ｃを介して地面に逃げ出す）ことを防ぐ必要がある。暖房装置や日射などによって室空間Ａの温度が低温域用の潜熱蓄熱材の融点（１１〜２５℃）よりも高められると、室空間Ａからの熱は、床用建材２８に含まれた潜熱蓄熱材の融解熱として蓄熱される。そして夜間に暖房設備などを停止して室温が当該潜熱蓄熱材の融点よりも低くなっても、潜熱蓄熱材は融点に対応する温度を一定時間維持しつつ、凝固熱を室空間Ａに放出しながら固相に戻るので、室空間Ａの熱が床下空間Ｃを介して地面に逃げ出すことを防止できるだけでなく、室空間Ａは潜熱蓄熱材からの凝固熱を受けることができる。
【００５９】
また、低温域用の潜熱蓄熱材のみが床用建材２８に用いられていることから、床用建材２８は十分な潜熱蓄熱効果を奏することができ、すべての潜熱蓄熱材が固相に相変化した段階で未だに床下の温度が低温域用の潜熱蓄熱材の融点よりも低いために床用建材２８の温度が潜熱蓄熱材の融点よりも著しく低くなるおそれを極小化できる。
【００６０】
本実施例の壁用建材３４は、上述したように、低温域用の潜熱蓄熱材のみが５〜５０重量％含まれる寒冷地向けのものであるから、上述した床用建材２８の場合と同様に、室空間Ａの熱が壁１６を介して外部に逃げ出すことを防止できるだけでなく、室空間Ａは壁用建材３４の潜熱蓄熱材からの凝固熱を受けることができる。これにより、室空間Ａの温度変化をさらに緩和することができる。
【００６１】
また、壁用建材３４は、建築基準法の省エネルギー基準に定められた地域区分に応じて、使用する潜熱蓄熱材成分を変えることが好適である。
【００６２】
すなわち、寒冷地（Ｉ地域およびＩＩ地域）では、上述のとおりであるが、蒸暑地域（Ｖ地域およびＶＩ地域）では、夏場の暑さに配慮することになるので、蒸暑地域向けの壁用建材３４には、潜熱蓄熱材成分として、融点２０〜３４℃の潜熱蓄熱材のみを５〜５０重量％含ませる。これにより、壁用建材３４の温度は、壁用建材３４に含まれた高温域用の潜熱蓄熱材の融点（２０〜３４℃）に対応する温度を一定時間維持するので、外部から室空間Ａへ流入する熱量を抑えることができる。
【００６３】
さらに、温暖地域（ＩＩＩ地域およびＩＶ地域）では、暑さおよび寒さに配慮をする必要があるので、温暖地域向けの壁用建材３４には、潜熱蓄熱材成分として、融点１１〜２５℃の潜熱蓄熱材と融点２０〜３４℃の潜熱蓄熱材とが等分で混合された潜熱蓄熱材を、これら２種類の潜熱蓄熱材の合計添加割合として５〜５０重量％含ませる。これにより、夏場には外部から室空間Ａに流入する熱量を抑えることができるとともに、冬場には室空間Ａから床下空間Ｃを介して地面に流出する熱量を抑えることができる。
【００６４】
なお、寒冷地向けの壁用建材３４を用いる場合は、室空間Ａにおける暖房の温度を壁用建材３４に含まれた潜熱蓄熱材の融点を中心とする上下２．０℃の範囲内に設定することが好適である。また、蒸暑地域向けの壁用建材３４を用いる場合は、室空間Ａにおける冷房の温度を壁用建材３４に含まれた潜熱蓄熱材の融点を中心とする上下２．０℃の範囲内に設定することが好適である。さらに、温暖地域向けの壁用建材３４を用いる場合は、室空間における冷房の温度を、前記壁用建材に含まれた融点が１１〜２５℃の潜熱蓄熱材の融点を中心とする上下２．０℃の範囲内に設定し、暖房の温度を、融点が２０〜３４℃の潜熱蓄熱材の融点を中心とする上下２．０℃の範囲内に設定することが好適である。
【００６５】
このように、壁用建材３４に含まれた潜熱蓄熱材の融点を中心として暖房や冷房の温度を設定することにより、壁用建材３４の温度と室空間Ａの設定温度とが一定時間互いにほぼ同じになる。このため、暖房装置や冷房装置の稼働時間を低減することができ、効果的に省エネルギー化を図ることができる。
【実施例】
【００６６】
以下に、実施例をあげて本発明を具体的に説明するが、本発明はこの実施例に限定されるものではない。
【００６７】
本発明の暖冷房負荷低減家屋および従来の家屋の年間暖冷房負荷を計算ソフト「THERB  for  HAM」を用いて計算した。計算に使用した家屋モデルは、図１に示す単室モデル（３．６４ｍ×５．４６ｍ×２．５ｍ）であり、断熱性能は次世代省エネ基準相当（但し開口部日射遮蔽はレースカーテン）、換気回数は０．５回／時とした。
【００６８】
また、暖房期間は１１月〜４月、設定温度は１８℃とし、冷房期間は５〜１０月、設定温度は２７℃とした。気象データはアメダス気象データ標準年を使用した。
【００６９】
（実施例１）想定地域：札幌市
天井用建材は、密度３４０ｋｇ／ｍ3、熱伝導率０．０５１Ｗ／ｍＫ、潜熱蓄熱材の融点２７℃（±３．５℃）、潜熱蓄熱材の含有割合は２０重量％である。
床用建材は、密度３４０ｋｇ／ｍ3、熱伝導率０．０５１Ｗ／ｍＫ、潜熱蓄熱材の融点１８℃（±３．５℃）、潜熱蓄熱材の含有割合は２０重量％である。
壁用建材は、密度３４０ｋｇ／ｍ3、熱伝導率０．０５１Ｗ／ｍＫ、潜熱蓄熱材の融点１８℃（±３．５℃）、潜熱蓄熱材の含有割合は２０重量％である。
（比較例１）想定地域：札幌市
一般天井仕上材は、密度３４０ｋｇ／ｍ3、熱伝導率０．０５１Ｗ／ｍＫである。
一般床下地材は、密度３４０ｋｇ／ｍ3、熱伝導率０．０５１Ｗ／ｍＫである。
一般壁仕上材は、密度３４０ｋｇ／ｍ3、熱伝導率０．０５１Ｗ／ｍＫである。
【表１】
2010001677.tif 000003
【００７０】
（実施例２）想定地域：鹿児島市
天井用建材は、密度３４０ｋｇ／ｍ3、熱伝導率０．０５１Ｗ／ｍＫ、潜熱蓄熱材の融点２７℃（±３．５℃）、潜熱蓄熱材の含有割合は２０重量％である。
床用建材は、密度３４０ｋｇ／ｍ3、熱伝導率０．０５１Ｗ／ｍＫ、潜熱蓄熱材の融点１８℃（±３．５℃）、潜熱蓄熱材の含有割合は２０重量％である。
壁用建材は、密度３４０ｋｇ／ｍ3、熱伝導率０．０５１Ｗ／ｍＫ、潜熱蓄熱材の融点２７℃（±３．５℃）、潜熱蓄熱材の含有割合は２０重量％である。
（比較例２）想定地域：鹿児島市
一般天井仕上材は、密度３４０ｋｇ／ｍ3、熱伝導率０．０５１Ｗ／ｍＫである。
一般床下地材は、密度３４０ｋｇ／ｍ3、熱伝導率０．０５１Ｗ／ｍＫである。
一般壁仕上材は、密度３４０ｋｇ／ｍ3、熱伝導率０．０５１Ｗ／ｍＫである。
【表２】
2010001677.tif 000004
【００７１】
（計算結果）
上記条件で計算を行い、下表の結果を得た（表３参照）。実施例１および実施例２では、対応する比較例１および比較例２に比べて暖房負荷と冷房負荷との両方が低下しており、実施例が１年を通じて室空間Ａの温度変化を緩和できていることが分かる。
【表３】
2010001677.tif 000005
【図面の簡単な説明】
【００７２】
【図１】本発明の暖冷房負荷低減家屋を示す図である。
【図２】天井の断面図である。
【図３】床の断面図である。
【図４】壁の断面図である。
【符号の説明】
【００７３】
１０…暖冷房負荷低減家屋
１２…天井
１４…床
１６…壁
１７…屋根
１８…天井用建材
２０…せっこうボード
２２…防湿シート
２４…住宅用グラスウール断熱材
２６…合板
２８…床用建材
３２…押出法ポリスチレンフォーム保温板
３４…壁用建材
３６…せっこうボード
３８…防湿シート
４０…住宅用グラスウール断熱材
４２…火山性ガラス複層板
４４…透湿防水シート
４６…通気層
４８…窯業系サイディング
【図２】
2010001677.tif 000006
【図３】
2010001677.tif 000007
【図４】
2010001677.tif 000008
【図１】
2010001677.tif 000009